【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
表示装置に表示された画像の一定範囲を指定する範囲指定手段と、
前記範囲指定手段により指定された範囲に該当する部分画像をもとにオブジェクトを生成するオブジェクト生成手段と、
前記オブジェクト生成手段により生成されたオブジェクトを記憶するオブジェクト記憶手段と、
前記範囲指定の対象となった表示画像を前記オブジェクト記憶手段に記憶されたオブジェクトと関連づけて全体画像として記憶する全体画像記憶手段と、
前記オブジェクト記憶手段により記憶されたオブジェクトを表示するオブジェクト表示手段と、
前記オブジェクト表示手段により表示されたオブジェクトを選択するオブジェクト選択手段と、
前記オブジェクト選択手段により選択されたオブジェクトに対応する前記全体画像記憶手段により記憶された全体画像を表示する全体画像表示手段と
を具備したことを特徴とする画像処理装置。
【請求項２】
前記範囲指定の対象となる表示画像は、現在使用しているのとは異なるアプリケーションにより表示された画像であることを特徴とする請求項１記載の画像処理装置。
【請求項３】
予め決められた時間の経過を判別する時間経過判別手段をさらに具備し、
前記オブジェクト表示手段は、前記時間経過判別手段により予め決められた時間が経過したと判別された場合に、前記オブジェクト記憶手段により記憶されたオブジェクトを表示することを特徴とする請求項１記載の画像処理装置。
【請求項４】
前記オブジェクト表示手段によりオブジェクトを表示する条件を設定する条件設定手段とを具備し、
前記オブジェクト表示手段は、前記条件設定手段によって設定された条件に従ってオブジェクトを表示することを特徴とする請求項３記載の画像処理装置。
【請求項５】
前記オブジェクト表示手段により表示されたオブジェクトの配列の変更要求を入力する配列変更要求入力手段と、
前記オブジェクト表示手段は、前記配列変更要求入力手段により変更要求が入力される毎に前記オブジェクト記憶手段に記憶された複数のオブジェクトの配列をランダムに変更して表示させることを特徴とする請求項１記載の画像処理装置。
【請求項６】
前記オブジェクト記憶手段に記憶されたオブジェクトの表示要求を入力する表示要求入力手段と、
前記オブジェクト表示手段は、前記表示要求入力手段により入力された表示要求に応じて、前記オブジェクト記憶手段に記憶された複数のオブジェクトを一覧表示させることを特徴とする請求項１記載の画像処理装置。
【請求項７】
前記オブジェクト表示手段によって表示された複数のオブジェクトを選択する複数オブジェクト選択手段と、
前記複数オブジェクト選択手段によって選択された複数のオブジェクトを関連付けて共通する所定の属性を設定する設定手段と
を具備したことを特徴とする請求項１記載の画像処理装置。
【請求項８】
ネットワークを介して他の情報機器と接続する接続手段と、
前記接続手段により接続された前記他の情報機器との間で、前記オブジェクト記憶手段により記憶されたオブジェクトを共有化する共有化手段と
を具備したことを特徴とする請求項１記載の画像処理装置。
【請求項９】
前記他の情報機器に対応する機器オブジェクトを、前記オブジェクト表示手段により表示されるオブジェクトと共に表示する第２オブジェクト表示手段と、
前記第２オブジェクト表示手段により表示された前記機器オブジェクトと、前記オブジェクト表示手段により表示されるオブジェクトとの関連づけを示す指示を入力する関連指示入力手段と、
前記関連指示入力手段により入力された指示に応じて、前記機器オブジェクトと前記オブジェクトとを関連付けを設定する関連付け設定手段と
を具備したことを特徴とする請求項８記載の画像処理装置。
【請求項１０】
前記接続手段により接続された他の情報機器のそれぞれに応じた画像データを記憶する画像データ記憶手段と、
前記画像データ記憶手段により記憶された前記他の情報機器のそれぞれに応じた画像データを選択的に合成して表示する合成表示手段と
を具備したことを特徴とする請求項８記載の画像処理装置。
【請求項１１】
コンピュータを、
表示装置に表示された画像の一定範囲を指定する範囲指定手段と、
前記範囲指定手段により指定された範囲に該当する部分画像をもとにオブジェクトを生成するオブジェクト生成手段と、
前記オブジェクト生成手段により生成されたオブジェクトを記憶するオブジェクト記憶手段と、
前記範囲指定の対象となった表示画像を前記オブジェクト記憶手段に記憶されたオブジェクトと関連づけて全体画像として記憶する全体画像記憶手段と、
前記オブジェクト記憶手段により記憶されたオブジェクトを表示するオブジェクト表示手段と、
前記オブジェクト表示手段により表示されたオブジェクトを選択するオブジェクト選択手段と、
前記オブジェクト選択手段により選択されたオブジェクトに対応する前記全体画像記憶手段により記憶された全体画像を表示する全体画像表示手段として機能させるためのプログラム。
【手続補正２】
【補正対象書類名】明細書
【補正対象項目名】発明の名称
【補正方法】変更
【補正の内容】
【発明の名称】画像処理装置およびプログラム
【手続補正３】
【補正対象書類名】明細書
【補正対象項目名】０００１
【補正方法】変更
【補正の内容】
【０００１】
本発明は、電子会議等を支援する画像処理装置およびプログラムに関する。
【手続補正４】
【補正対象書類名】明細書
【補正対象項目名】０００２
【補正方法】変更
【補正の内容】
【０００２】
従来、会議を電子的に支援するためのシステムが考えられている（例えば特許文献１，２）。
会議では黒板、ホワイトボード等が使用されるが、黒板、ホワイトボード等を電子的に支援するためには従来にはない画像処理技術が必要である。
【手続補正５】
【補正対象書類名】明細書
【補正対象項目名】０００９
【補正方法】変更
【補正の内容】
【０００９】
本発明の課題は、会議における議論を活性化させるための黒板、ホワイトボード等を電子的に支援することを可能とする画像処理技術およびプログラムを提供することにある。
【手続補正６】
【補正対象書類名】明細書
【補正対象項目名】００１１
【補正方法】変更
【補正の内容】
【００１１】
請求項２記載の発明は、請求項１記載の発明において、前記範囲指定の対象となる表示画像は、現在使用しているのとは異なるアプリケーションにより表示された画像であることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項３記載の発明は、請求項１記載の発明において、予め決められた時間の経過を判別する時間経過判別手段をさらに具備し、前記オブジェクト表示手段は、前記時間経過判別手段により予め決められた時間が経過したと判別された場合に、前記オブジェクト記憶手段により記憶されたオブジェクトを表示することを特徴とする。
【手続補正９】
【補正対象書類名】明細書
【補正対象項目名】００１４
【補正方法】変更
【補正の内容】
【００１４】
請求項４記載の発明は、請求項３記載の発明において、前記オブジェクト表示手段によりオブジェクトを表示する条件を設定する条件設定手段とを具備し、前記オブジェクト表示手段は、前記条件設定手段によって設定された条件に従ってオブジェクトを表示することを特徴とする。
【手続補正１０】
【補正対象書類名】明細書
【補正対象項目名】００１５
【補正方法】変更
【補正の内容】
【００１５】
請求項５記載の発明は、請求項１記載の発明において、前記オブジェクト表示手段により表示されたオブジェクトの配列の変更要求を入力する配列変更要求入力手段と、前記オブジェクト表示手段は、前記配列変更要求入力手段により変更要求が入力される毎に前記オブジェクト記憶手段に記憶された複数のオブジェクトの配列をランダムに変更して表示させることを特徴とする。
【手続補正１１】
【補正対象書類名】明細書
【補正対象項目名】００１６
【補正方法】変更
【補正の内容】
【００１６】
請求項６記載の発明は、請求項１記載の発明において、前記オブジェクト記憶手段に記憶されたオブジェクトの表示要求を入力する表示要求入力手段と、前記オブジェクト表示手段は、前記表示要求入力手段により入力された表示要求に応じて、前記オブジェクト記憶手段に記憶された複数のオブジェクトを一覧表示させることを特徴とする。
【手続補正１２】
【補正対象書類名】明細書
【補正対象項目名】００１７
【補正方法】変更
【補正の内容】
【００１７】
請求項７記載の発明は、請求項１記載の発明において、前記オブジェクト表示手段によって表示された複数のオブジェクトを選択する複数オブジェクト選択手段と、前記複数オブジェクト選択手段によって選択された複数のオブジェクトを関連付けて共通する所定の属性を設定する設定手段とを具備したことを特徴とする。
【手続補正１３】
【補正対象書類名】明細書
【補正対象項目名】００１８
【補正方法】変更
【補正の内容】
【００１８】
請求項８記載の発明は、請求項１記載の発明において、ネットワークを介して他の情報機器と接続する接続手段と、前記接続手段により接続された前記他の情報機器との間で、前記オブジェクト記憶手段により記憶されたオブジェクトを共有化する共有化手段とを具備したことを特徴とする。
【手続補正１４】
【補正対象書類名】明細書
【補正対象項目名】００１９
【補正方法】変更
【補正の内容】
【００１９】
請求項９記載の発明は、請求項８記載の発明において、前記他の情報機器に対応する機器オブジェクトを、前記オブジェクト表示手段により表示されるオブジェクトと共に表示する第２オブジェクト表示手段と、前記第２オブジェクト表示手段により表示された前記機器オブジェクトと、前記オブジェクト表示手段により表示されるオブジェクトとの関連づけを示す指示を入力する関連指示入力手段と、前記関連指示入力手段により入力された指示に応じて、前記機器オブジェクトと前記オブジェクトとを関連付けを設定する関連付け設定手段とを具備したことを特徴とする。
【手続補正１５】
【補正対象書類名】明細書
【補正対象項目名】００２０
【補正方法】変更
【補正の内容】
【００２０】
請求項１０記載の発明は、請求項８記載の発明において、前記接続手段により接続された他の情報機器のそれぞれに応じた画像データを記憶する画像データ記憶手段と、前記画像データ記憶手段により記憶された前記他の情報機器のそれぞれに応じた画像データを選択的に合成して表示する合成表示手段とを具備したことを特徴とする。
【手続補正１６】
【補正対象書類名】明細書
【補正対象項目名】００２１
【補正方法】変更
【補正の内容】
【００２１】
請求項１１記載の発明は、コンピュータを、表示装置に表示された画像の一定範囲を指定する範囲指定手段と、前記範囲指定手段により指定された範囲に該当する部分画像をもとにオブジェクトを生成するオブジェクト生成手段と、前記オブジェクト生成手段により生成されたオブジェクトを記憶するオブジェクト記憶手段と、前記範囲指定の対象となった表示画像を前記オブジェクト記憶手段に記憶されたオブジェクトと関連づけて全体画像として記憶する全体画像記憶手段と、前記オブジェクト記憶手段により記憶されたオブジェクトを表示するオブジェクト表示手段と、前記オブジェクト表示手段により表示されたオブジェクトを選択するオブジェクト選択手段と、前記オブジェクト選択手段により選択されたオブジェクトに対応する前記全体画像記憶手段により記憶された全体画像を表示する全体画像表示手段として機能させることを特徴とする。
【手続補正１７】
【補正対象書類名】明細書
【補正対象項目名】００２２
【補正方法】変更
【補正の内容】
【００２２】
請求項１，１１記載の発明によれば、表示された画像に対して一定範囲が指定されることで、指定範囲に該当する画像内に何らかの情報が表示されている場合には、その情報を表す部分画像をもとに、各種処理の処理単位となるオブジェクトを生成することができる。従って、全体画像中で特徴的な部分、例えば文字列、図形、画像などをオブジェクト化しておけば、このオブジェクトを画面中に表示させて、会議の内容や進行状況に応じて各種の操作、例えば移動、コピー、削除などをすることで、アイディアプロセッサとして機能させることで会議出席者の創造性を刺激し、より多くのアイディアを提供させることで議論の活性化を図ることができる。そして、必要に応じてオブジェクトを選択指示すれば、このオブジェクトを含む全体画像を表示して簡単にオブジェクトに対する詳細を確認することができる。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００７４
【補正方法】変更
【補正の内容】
【００７４】
なお、オブジェクトの設定ファイルの構成は、図１３（３）に示すように、全体画像中におけるオブジェクトの位置及びサイズを示すデータと、オブジェクト画像ファイル名（貼り付け画像名）との組からなるデータ（以下、オブジェクトデータ）が、全体画像中に設定されたオブジェクト分含まれている。オブジェクトの位置を示すデータは、範囲指定された画像に対して設定した矩形枠の始点とする頂点のｘｙ座標と、始点からのｘｙそれぞれの方向のサイズを示すデータにより定義されている。